(57)【要約】【課題】低コストを実現することができるシャッタおよび換気システムを提供する。【解決手段】家屋１１内部の空気を循環させる場合、制御盤６は、シャッタ３１により換気ユニット３の排気孔３０ｂを塞ぐとともに、ダクトファン５２を駆動させる。すると、収集部４および上部ダクト５１の内部の圧力が外部よりも低くなり、この圧力差によって蓋部４２が開いた状態となるので、上部空気は、収集部４内部に流入し、ダクト５を通って家屋１１の床１６の下から放出される。これにより、家屋１１内部の空気が循環することとなる。このように、蓋部４２が収集部４の内部と外部の気圧差によって開閉するので、ダンパモータなどの駆動装置が不要となり、結果として低コストを実現することができる。【選択図】  図１
2007212003.tif 000002
【特許請求の範囲】
【請求項１】
空気の取り入れ孔に設けられるシャッタであって、
開口を有する板状部材と、
この板状部材に回動可能に取り付けられて、所定の位置において前記開口を塞ぐ蓋部材と、
この蓋部材の回動位置を前記所定の位置から一方向のみに規制する規制手段と
を有することを特徴とするシャッタ。
【請求項２】
請求項１記載のシャッタにおいて、
前記蓋部材を、前記所定の位置に保持する姿勢保持手段をさらに備える
ことを特徴とするシャッタ。
【請求項３】
請求項１または２記載のシャッタにおいて、
前記板状部材と前記蓋部材とを連結する連結部材を備え、
この連結部材は、前記蓋部材の回動軸を前記板状部材から離間する方向に移動可能に支持する
ことを特徴とするシャッタ。
【請求項４】
家屋に配設される筐体と、
この筐体に形成されて、この筐体内部と前記家屋の外部および内部とをそれぞれ連通する第１および第２の空気取り入れ孔と、
前記第１および第２の空気取り入れ孔をそれぞれ開閉する第１および第２のシャッタと、
前記筐体に接続されたダクトと、
前記筐体を介して取り込んだ空気を前記ダクトを通じて前記家屋内部に供給するファンとを備え、
前記第２のシャッタは、請求項１乃至３の何れか１項に記載されたシャッタであり、
前記蓋部材は、少なくとも前記筐体の内部の気圧が外部の気圧以上のときに前記開口を塞ぐ
ことを特徴とする換気システム。
【請求項５】
請求項４記載の換気システムにおいて、
前記蓋部材の回動軸は、前記所定の位置において前記蓋部材の重心よりも鉛直方向上方に位置する
ことを特徴とする換気システム。
【発明の詳細な説明】
【技術分野】
【０００１】
本発明は、外気を家屋内部に取り込んだり、家屋内部の空気を循環させたりする換気システムに関するものである。
【背景技術】
【０００２】
近年、地球環境保全・公害防止・エネルギー問題などから、自然エネルギーの利用が注目を集めている。住居等の建造物の分野においては、太陽エネルギーを利用して室内暖房、冷房、換気、除湿、給湯等を行うシステムが開発されている（例えば、特許文献１参照。）。
【０００３】
特許文献１に開示されたシステムは、空気式のソーラーシステムであり、屋根に設けられた集熱部と、集熱部からの空気の取り入れ口および家屋の天井等に設けられた空気の取り入れ口に接続されたハンドリングボックスと、一端がハンドリングボックスに接続され他端が家屋の各部屋や床下等に接続されたダクトとを備える。ここで、ハンドリングボックスの内部には、集熱部からの空気の取り入れ口と家屋上部の空気の取り入れ口とを交互に塞ぐシャッタが設けられている。このシャッタにより家屋上部の取り入れ口が塞がれると、集熱部とダクトとが連通するので、集熱部の空気が各部屋や床下から供給される。これにより、家屋内部を暖めることができる。一方、シャッタにより集熱部からの空気の取り入れ口が塞がれると、家屋上部とダクトとが連通するので、家屋上部の空気が各部屋や床下から供給される。これにより、家屋内部の空気を循環させることができる。このようなシャッタの動作は、ダンパモータ等を駆動させることにより行われる。
【０００４】
【特許文献１】特開平５−７９７０７号公報
【発明の開示】
【発明が解決しようとする課題】
【０００５】
従来のシステムでは、シャッタをモータ等により駆動させていたので、装置構成が複雑となり、結果として高コストとなっていた。
そこで、本願発明は、上述したような課題を解決するためになされたものであり、低コストを実現することができるシャッタおよび換気システムを提供することを目的とする。
【課題を解決するための手段】
【０００６】
上述したような課題を解決するために、本発明にかかるシャッタは、空気の取り入れ孔に設けられるシャッタであって、開口を有する板状部材と、この板状部材に回動可能に取り付けられて、所定の位置において開口を塞ぐ蓋部材と、この蓋部材の回動位置を所定の位置から一方向のみに規制する規制手段とを有することを特徴とする。
【０００７】
上記シャッタにおいて、蓋部材を、所定の位置に保持する姿勢保持手段をさらに備えるようにしてもよい。
【０００８】
上記シャッタにおいて、板状部材と蓋部材とを連結する連結部材を備え、この連結部材は、蓋部材の回動軸を板状部材から離間する方向に移動可能に支持するようにしてもよい。
【０００９】
また、本発明にかかる換気システムは、家屋に配設される筐体と、この筐体に形成されて、この筐体内部と家屋の外部および内部とをそれぞれ連通する第１および第２の空気取り入れ孔と、第１および第２の空気取り入れ孔をそれぞれ開閉する第１および第２のシャッタと、筐体に接続されたダクトと、筐体を介して取り込んだ空気をダクトを通じて家屋内部に供給するファンとを備え、第２のシャッタは、上記シャッタであり、蓋部材は、少なくとも筐体の内部の気圧が外部の気圧以上のときに開口を塞ぐようにしてもよい。
【００１０】
上記換気システムにおいて、蓋部材の回動軸は、所定の位置において蓋部材の重心よりも鉛直方向上方に位置するようにしてもよい。
【発明の効果】
【００１１】
本発明によれば、開口を有する板状部材と、その開口を塞ぐ蓋部材と、この蓋部材の回動位置を所定の位置から一方向のみに規制する規制手段とから、空気取り入れ孔に設けるシャッタを構成したことにより、ダンパモータなど、蓋部材を駆動させるための装置が不要となるので、結果として低コストを実現することができる。
【発明を実施するための最良の形態】
【００１２】
以下、図面を参照して本発明の実施の形態について詳細に説明する。
【００１３】
［換気システム］
図１に示すように、本実施の形態にかかる換気システム１は、家屋１１の屋根１２に配設された集熱部２と、この集熱部２に接続され集熱部２により加熱された空気（以下、「加熱空気」と呼ぶ）を家屋１１内に導入する換気ユニット３と、この換気ユニット３に接続され加熱空気または家屋１１上方の空気（以下、「上部空気」と呼ぶ）を収集する収集部４と、この収集部４に接続され加熱空気または上部空気を家屋１１内部に放出するダクト５と、換気ユニット３等の動作を制御することにより換気システム１の動作を制御する制御盤６とから構成される。
【００１４】
［集熱部］
集熱部２は、屋根１２の上方に離間して設けられた屋根板１３と、屋根板１３の軒先に形成される空気取り入れ口１４と、屋根１２と屋根板１３との隙間により形成される空気流路１５とから構成される。屋根１２は、所定の勾配を有し、屋根板１３も屋根１２と同等の勾配を有するように配設される。これにより、空気流路１５として作用する隙間が形成される。また、屋根板１３は、例えば、金属製のプレートやスレート屋根材から構成され、太陽光線により加熱される。これにより、屋根１２と屋根板１３により空気層が構成され、空気流路を通過する空気は、太陽光により効果的に暖められる。なお、屋根１２を金属製のプレートやスレート屋根材、屋根板１３を透明なプレートにするようにしてもよい。このようにしても、空気流路を通過する空気を太陽光により暖めることができる。
【００１５】
［換気ユニット］
換気ユニット３は、箱の形状を有する箱体３０と、この箱体３０内部に配設されたシャッタ３１と、このシャッタ３１を駆動する駆動部３２と、箱体３０の軒側の側面に設けられたユニットファン３３とから構成される。このような換気ユニット３は、集熱部２が設けられた屋根１２と棟を挟んで反対側の屋根１２の棟近傍に形成された開口に箱体３０の下部を嵌め込むことにより、箱体３０の上部が屋根１２上に露出するように配設される。なお、本実施の形態において、換気ユニット３は、集熱部２と異なる側の屋根に設けているが、集熱部２と同じ屋根に設けるようにしてもよい。
【００１６】
箱体３０は、全体として略直方体または略正方体の箱の形状を有する。この箱体３０上部の集熱部２に対向する側面は、集熱部２と接続するための開口３０ａが形成されている。この開口３０ａと反対側の側面には、排気孔３０ｂが形成されている。さらに、箱体３０の底面には、収集部４と接続される接続孔３０ｃが形成されている。
【００１７】
シャッタ３１は、箱体３０の底面の形状に対応した平面視略矩形の形状を有し、シャッタ３１を箱体３０底面に載置したとき、排気孔３０ｂが設けられた側面側の側部を支点として回動可能なように、箱体３０の底面近傍に配設される。このようなシャッタ３１は、排気孔３０ｂ側に回動させてユニットファン３３が設けられた排気孔３０ｂを塞ぐと、集熱部２の空気取り入れ口１４と換気ユニット３の接続孔３０ｃとが連通する。一方、接続孔３０ｃ側に回動させて接続孔３０ｃを塞ぐと、収集部２の空気取り入れ口１４と排気孔３０ｂとが連通する。
【００１８】
駆動部３２は、ダンパーモータ等の公知のモータから構成されており、箱体３０の底面近傍に設けられ、シャッタ３１の回動可能に支持された側部に接続されている。このような駆動部３２は、制御盤６からの制御信号に基づいて駆動し、シャッタ３１を回動させる。
【００１９】
ユニットファン３３は、公知のファンから構成されており、箱体３０の排気孔３０ｂに設けられる。このようなユニットファン３３は、制御盤６からの制御信号に基づいて駆動する。
【００２０】
［収集部］
収集部４は、全体として略直方体または略正方体の形状を有する筐体４１と、この筐体４１の底部に設けられたシャッタ部４２とから構成される。このような収集部４は、換気ユニット３の箱体３０の底面の接続孔３０ｃに筐体４１の上面を接続することにより、家屋１１内部上方に配設される。
【００２１】
筐体４１は、上面が開口した箱の形状を有し、その開口した上面が箱体３０の接続孔３０ｃに接続される。また、例えば軒側の側面など、筐体４１の一の側面には、ダクト５が接続される孔４１ａが形成される。
【００２２】
シャッタ部４２は、図２に示すように、平面視略矩形の板の形状を有し、筐体４１の底部の一部を形成する基部４２１と、この基部４２１に蝶着される蓋部４２２とを備える。
【００２３】
基部４２１は、平面視略矩形の板の形状を有するベース４２１ａと、このベース４２１ａの略中央部においてベース４２１ａの上面から下面に向けて掘り込まれた平面視略矩形の凹部からなる収容部４２１ｂと、この収容部４２１ｂの底面に形成された平面視略矩形の開口部４２１ｃと、収容部４２１ｂの一対の側面に形成された接続部４２１ｄとを備える。ここで、ベース４２１ａ、収容部４２１ｂおよび開口部４２１ｃの平面形状は、それぞれ略平行に形成される。
【００２４】
収容部４２１ｂは、蓋部４２２の形状に対応した形状を有しており、内部に蓋部４２２が収容される。収容部４２１ｂの接続部４２１ｄが設けられていない一方の側面４２１ｅ（以下、「傾斜面」という）は、収容部４２１ｂの底面と鈍角を形成するような傾斜をつけて形成されている。このような収容部４２１ｂ、特に収容部４２１ｂの底面は、規制手段として機能する。
【００２５】
開口部４２１ｃは、収容部４２１ｂの底面よりも小さな平面視略矩形の形状を有し、収容部４２１ｂの底面の略中央部に形成される。したがって、収容部４２１ｂに蓋部４２２を収容すると、開口部４２１ｃは、蓋部４２２により塞がれることとなる。
【００２６】
接続部４２１ｄは、収容部４２１ｂの一対の側面における傾斜面４２１ｅ近傍に形成される。この接続部４２１ｄは、平面視略矩形の板の形状を有し、収容部４２１ｂの一対の側面から連続して収容部４２１ｂの上面側に突出するように形成される。接続部４２１ｄには、直線状の孔からなるガイド４２１ｆが形成されている。このガイド４２１ｆは、ベース４２１ａの主表面に対して斜めに、すなわち傾斜面４２１ｅ側に近付くに連れて収容部４２１ｂから離間する方向に移動するように形成されている。
【００２７】
このような基部４２１は、基部４２１の主表面が水平方向および鉛直方向に対して斜めに配設される。具体的には、基部４２１の傾斜面４２１ｅと平行な一対の側部が水平面および鉛直方向に対して平行に、かつ、傾斜面４２１ｅ側、すなわち接続部４２１ｄ側の側部が他方の側部よりも鉛直上方に位置するように配設される。これにより、蓋部４２２の回動軸は、水平方向に対して水平、かつ、蓋部４２２の回動軸と反対側の端部よりも鉛直上方に位置することとなる。
【００２８】
また、基部４２１は、金属、望ましくは磁性体から形成される。このとき、基部４２１全体を金属で形成するのみならず、表面の一部または全部を金属で形成し、内部は発泡体を充填するようにしてもよい。例えば、ベース４２１ａを金属板で形成し、この金属板の表面に所定の厚さを有する発泡体を取り付けるようにしてもよい。これにより、軽量化を図ることができる。また、収容部４２１ｂの側面が発泡体から構成されることとなるので、蓋部４２２を収容部４２１ｂ内部に収容したときに、蓋部４２２と収容部４２１ｂとを密着させることができる。結果として、シャッタ部４２の気密性を向上させることができる。
【００２９】
蓋部４２２は、収容部４２１ｂの形状に対応する平面視略矩形の板の形状を有する。このような蓋部４２２は、ねじや鋲などの一対の連結部材４２２ａを介して接続部４２１ｄに接続されることにより基部４２１に取り付けられる。例えば、連結部材４２２ａの先端部を収容部４２１ｂの外部側からガイド４２１ｆを通して蓋部４２２の側面、具体的には蓋部４２２を収容部４２１ｂ内部に収容した状態においてガイド４２１ｆから露出した部分に固定することにより、基部４２１に取り付けられる。これにより、蓋部４２２は、収容部４２１ｂ内部に収容可能であるとともに、基部４２１に対して、連結部材４２２ａを支点として回動可能に、かつ、ガイド４２１ｆに沿って移動可能に支持される。
【００３０】
また、蓋部４２２を収容部４２１ｂ内部に収容した状態において、傾斜面４２１ｅと反対側の面に近接した端部には、磁石４２２ｂが配設される。この磁石４２２ｂは、蓋部４２２の表面または内部に配設され、対向する位置には収容部４２１ｂの底面の一部が存在する。
【００３１】
このような蓋部４２２は、金属、望ましくは非磁性体、より望ましくはアルミニウムまたはアルミニウム合金から構成される。このとき、蓋部４２２全体を金属で形成するのみならず、表面の一部を金属で形成し、内部は発泡剤を充填するようにしてもよい。
【００３２】
［ダクト］
ダクト５は、一端が収集部４の筐体４１に形成された孔４１ａに接続された公知の配管からなる上部ダクト５１と、この上部ダクト５１の他端が接続された公知のファンからなるダクトファン５２と、一端がダクトファン５２に他端が家屋１１の床１６の下に接続された公知の配管からなる下部ダクト５３とから構成される。
【００３３】
［制御盤］
制御盤６は、家屋１１内部に配設され家屋１１内部の気温を測定する室温センサ６１、家屋１１外部に配設され家屋１１外部の気温を測定する外気温センサ６２、屋根１２の棟近傍に配設され集熱部２で生成された加熱空気の温度を測定する棟温センサ６３、換気ユニット３のユニットファン３３、換気ユニット３の駆動部３２およびダクト５のダクトファン５２に接続されている。これにより、制御盤６は、室温センサ６１，外気温センサ６２および棟温センサ６３による測定値に基づいて、ユニットファン３３，駆動部３２およびダクトファン５２の動作制御を行う。
【００３４】
このような制御盤６は、ＣＰＵ等の演算装置、メモリやＨＤＤ(Hard Disc Drive)等の記憶装置、ボタンやキー等の入力装置、蛍光表示管、ＬＣＤ(Liquid Crystal Display)、有機ＥＬ(Electro Luminescence)等の表示装置、外部との情報の送受信を行うＩ／Ｆ(Intrerface)装置等を備えたコンピュータまたはコントローラと、これにインストールされたプログラムとから構成される。すなわち、ハードウェア資源とソフトウェアが協働することによって、上記ハードウェア資源がプログラムによって制御されることにより、上述したようなユニットファン３３、駆動部３２およびダクトファン５２の動作制御が行われる。
【００３５】
［換気動作］
次に、換気システム１の動作について説明する。
【００３６】
まず、ユニットファン３３やダクトファン５２を動作させてなく、収集部４内部の気圧が少なくとも収集部４外部の気圧以上の場合、収集部４のシャッタ部４２は、図３の符号ａに示すように、蓋部４２２が閉じた状態、すなわち蓋部４２２が基部４２１の収容部４２１ｂの底面に当接して開口部４２１ｃを塞いだ状態となっている。これは、主表面が水平面および鉛直面に対して斜めの状態に配設された基部４２１に対して、蓋部４２２が傾斜面４２１ｅ近傍の接続部４２１ｄに接続されることにより、蓋部４２２の回動軸が水平面および鉛直面に対して平行で、かつ、蓋部４２２の回動軸側の端部がこの端部の反対側の端部よりも鉛直上方に配置されることに起因する。このとき、蓋部４２２の回動軸、すなわち、一対の連結部材４２２ａを結んだ直線は、蓋部４２２の重心よりも鉛直上方に位置することとなる。したがって、蓋部４２２は、蓋部４２２の自重による所定の圧力で基部４２１側に圧接された状態となり、収容部４２１ｂの底面に密着するため、収集部４の気密性を向上させることができる。
【００３７】
なお、蓋部４２２は、磁石４２２ｂの磁力によって、蓋部４２２が基部４２１側に付勢された状態ともなっている。これにより、例えば、家屋１１の窓を開けて家屋１１内部に風が入り込み、開口部４２１ｃから露出した蓋部４２２を移動させるような外力がかかった場合であっても、その風圧で蓋部４２２が開くことを防ぐことができる。
【００３８】
次に、例えば、上部空気の温度が高く家屋１１の床１６近傍の空気の温度が低いなど、家屋１１内部の空気を循環させる場合、制御盤６は、シャッタ３１により換気ユニット３の排気孔３０ｂを塞ぐとともに、ダクトファン５２を駆動させる。すると、収集部４および上部ダクト５１の内部の気圧が外部の気圧よりも低くなり、この圧力差によって蓋部４２２に対して浮力が働き、図３の符号ｂで示すように、蓋部４２２は、ガイド４２１ｆに沿って鉛直上方に移動するとともに、連結部材４２２ａを回動中心として鉛直上方の方向に回動する。これにより、蓋部４２２が開いた状態、すなわち開口部４２１ｃを介して収集部４内部が家屋１１内部に露出した状態となるので、上部空気は、開口部４２１ｃから収集部４内部に流入し、ダクト５を通って家屋１１の床１６の下から放出される。これにより、家屋１１内部の空気が循環することとなる。
【００３９】
ここで、蓋部４２２の重さは、シャッタ３１により換気ユニット３の排気孔３０ｂを塞いでダクトファン５２を駆動させたときに生じる圧力差に応じて設定される。同様に、磁石４２２ｂについても、その圧力差に応じて数量や大きさ等が設定される。これにより、ダクトファン５２を駆動させたときには蓋部４２２を確実に開かせることができる。
【００４０】
また、蓋部４２２は、接続部４２１ｄに形成されたガイド４２１ｆを介して基部４２１に接続されているので、円滑に開閉することができる。蓋部４２２は、収集部４内外の気圧差による浮力で開閉するため、もし蓋部４２２を回動のみが可能なように基部４２１に接続すると、蓋部４２２の回動軸近傍にかかる浮力が蓋部４２２が接続された基部４２１の抗力より相殺されて蓋部４２２の開閉に寄与しなくなるので、蓋部４２２が円滑に開くことができない。しかしながら、本実施の形態では、蓋部４２２をガイド４２１ｆを介して基部４２１に接続することにより、蓋部４２２がガイド４２１ｆに沿って移動可能となり、基部４２１の抗力が蓋部４２２に作用しない。これにより、蓋部４２２の回動軸近傍にかかる浮力も蓋部４２２の開閉に寄与することとなるので、蓋部４２２を円滑に開閉させることができる。また、蓋部４２２は、連結部材４２２ａを支点として回動することができるので、開口部４２１ｃから収集部４の内部を大きく露出させることができる。
【００４１】
また、収容部４２１ｂに傾斜面４２１ｅを設けることにより、蓋部４２２がガイド４２１ｆに沿って移動しても、蓋部４２２が収容部４２１ｂに接触するのを防ぐことができるので、蓋部４２２が移動したり回動したりするのを円滑に行うことができる。
【００４２】
さらに、蓋部４２２をアルミニウムまたはアルミニウム合金等の非磁性体から形成することにより、磁石４２２ｂの磁力が分散し、基部４２１に対して吸着力が働かなくなるのを防ぐことができる。これより、ダクトファン５２を駆動していないときに蓋部４２２が不用意に開くことを防ぐことができる。
【００４３】
なお、本実施の形態では、上述した動作のみならず、以下に示すような動作も行うことができる。
【００４４】
例えば、冬の日中など集熱部２で加熱された外気を家屋１１内部に取り込む場合、制御盤６は、シャッタ３１により換気ユニット３の排気孔３０ｂを塞ぐとともにダクトファン５２を駆動させる。すると、加熱空気は、換気ユニット３および収集部４を介してダクト５から家屋１１内部に供給される。これにより、家屋１１内部の温度が上昇する。
【００４５】
このとき、加熱空気が流通することによって蓋部４２２が移動するよう外力が働いても、蓋部４２２は、自重による押圧力および磁石４２２ｂによる吸着力により、基部４２１に圧接しているので、移動するのを防ぐことができる。これにより、加熱空気が収集部４から漏れたり、上部空気が収集部４に流入したりすることを防ぐことができる。また、夏の早朝や夜間など、涼しい外気を家屋１１内部に取り込む場合には、制御盤６は同様の動作を行う。
【００４６】
また、例えば、夏の日中など集熱部２で加熱された外気を排気する場合、制御盤６は、シャッタ３１により換気ユニット３の接続孔３０ｃを塞ぐとともに、ユニットファン３３を駆動させる。すると、加熱空気は、換気ユニット３の排気孔３０ｂから家屋１１外部に放出される。
【００４７】
このように、本実施の形態によれば、開口を有する板状部材と、その開口を塞ぐ蓋部材と、この蓋部材の回動位置を所定の位置から一方向のみに規制する規制手段とから、空気取り入れ孔に設けるシャッタを構成したことにより、蓋部材が収集部の内部と外部の気圧差によって開閉するので、ダンパモータなど、蓋部材を駆動させるための装置が不要となるので、結果として低コストを実現することができる。
【００４８】
なお、本実施の形態では、基部４２１に蓋部４２２を収容する収容部４２１ｂを設けるようにしたが、この収容部４２１ｂは設けないようにしてもよい。例えば、ベース４２１ａを薄板から形成するようにし、ベース４２１ａの一対の側面に接続部４２１ｄを設け、この接続部４２１ｄにベース４２１ａと同等の平面形状を有する蓋部４２２を取り付けるようにしてもよい。このとき、蓋部４２２をベース４２１ａに当接させると、蓋部４２２がベース４２１ａの開口部４２１ｃを塞いだ状態となる。このようにしても、蓋部材が収集部の内部と外部の気圧差によって開閉するので、ダンパモータなど、蓋部材を駆動させるための装置が不要となるので、結果として低コストを実現することができる。
【００４９】
また、収集部４は、図１によく示されるように、筺体４１の軸線が鉛直方向および水平方向に対して斜めになるように配設されているが、シャッタ部４２が斜めに配設されるのであれば、例えば筺体４１の軸線が鉛直方向または水平方向に沿うように配設するようにしてもよい。
【００５０】
［収集部の変形例］
次に、収集部４の変形例について、図４〜図６を参照して説明する。この図４〜図６に示す収集部７は、シャッタ部の主表面を水平に配設することを特徴とするものである。収集部７は、全体として略直方体または略正方体の形状を有する筐体７１と、この筐体７１の底部に設けられたシャッタ部７２とから構成される。
【００５１】
筐体７１は、上面が開口した箱の形状を有し、その開口した上面が箱体３０の箱体３０の接続孔３０ｃに接続される。また、例えば軒側の側面など、筐体７１の一の側面には、ダクト５が接続される孔７１ａが形成される。
【００５２】
シャッタ部７２は、図５，図６に示すように、平面視略矩形の板の形状を有し、筐体７１の底部の一部を形成する基部７２１と、この基部７２１上に形成された略三角柱の形状を有する傾斜部７２２と、この傾斜部７２２に蝶着される蓋部７２３とを備える。このようなシャッタ部７２は、基部７２１の主表面が水平になるように配設される。
【００５３】
基部７２１は、平面視略矩形の板の形状を有するベース７２１ａと、このベース７２１ａの略中央部に形成された平面視略矩形の開口からなる開口部７２１ｂとを備える。このような基部７２１は、例えば、金属等から構成される。このとき、基部７２１全体を金属で形成するのみならず、例えば、表面の一部または全部を金属で形成し、内部は発泡剤を充填するようにしてもよい。これにより軽量化を図ることができる。
【００５４】
傾斜部７２２は、略三角柱の形状を有し、その一側面が開口しており、この開口面を基部７２１に当接させた状態で基部７２１上に配設される。このとき、開口面と対向する位置には、開口部７２１ｂが含まれている。また、傾斜部７２２の他の側面７２２ａ（以下、「取り付け面」という）の略中央部には、平面視略矩形の開口７２２ｂが形成されている。この開口７２２ｂの平面形状は、蓋部７２３よりも小さく形成される。ここで、取り付け面７２２ａは、規制手段として機能する。
【００５５】
また、傾斜部７２２の略三角柱形状の上面および下面に相当する面には、取り付け面７２２ａにおける傾斜部７２２のもう一つの側面７２２ｃ（以下、「中間面」という）との辺近傍に接続部７２２ｄが形成されている。この接続部７２２ｄは、傾斜部７２２の上面および下面から取り付け面７２２ａの上方に突出した平面視略矩形の板の形状を有する。この接続部７２２ｄには、直線状の孔からなるガイド７２２ｅが形成されている。このガイド７２２ｅは、取り付け面７２２ａの主表面に対して斜めに、すなわち、中間面７２２ｃに近付くに連れて取り付け面７２２ａから離間する方向に移動するように形成されている。
【００５６】
このような傾斜部７２２は、取り付け面７２２ａの主表面が水平方向および鉛直方向に対して斜めに配設される。具体的には、取り付け面７２２ａの接続部７２２ｄ側の辺および取り付け面７２２ａの基部７２１と当接する辺が水平面および鉛直方向に対して平行に、かつ、接続部７２２ｄ側の辺が基部７２１側の辺よりも鉛直上方に位置するように配設される。
【００５７】
また、傾斜部７２２は、金属、望ましくは磁性体から構成される。このとき、傾斜部７２２全体を金属で形成するのみならず、例えば、表面の一部または全部を金属で形成し、内部は発泡剤を充填するようにしてもよい。これにより軽量化を図ることができる。
【００５８】
蓋部７２３は、取り付け面７２２ａの形状に対応する平面視略矩形の板の形状を有する。このような蓋部７２３は、ねじや鋲などの連結部材７２３ａを介して接続部７２２ｄに接続されることにより、傾斜部７２２に取り付けられる。例えば、連結部材７２３ａの先端部を、傾斜部７２２の外部側からガイド７２２ｅを通して蓋部７２３の側面、具体的には蓋部７２３を取り付け面７２２ａ上に載置した状態においてガイド７２２ｅから露出した部分に固定することにより、傾斜部７２２に取り付けられる。これにより、蓋部７２３は、連結部材７２３ａを支点として回動可能であるとともに、ガイド７２２ｅに沿って移動可能に傾斜部７２２に取り付けられる。
【００５９】
また、蓋部７２３を取り付け面７２２ａ上に当接させた状態において、基部７２１に近接した端部には、磁石７２３ｂが配設される。この磁石７２３ｂは、蓋部７２３の表面または内部に配設され、対向する位置には取り付け面７２２ａが存在する。
【００６０】
このような蓋部７２３は、金属、望ましくは非磁性体、より望ましくはアルミニウムまたはアルミニウム合金から構成される。このとき、蓋部７２３全体を金属で形成するのみならず、例えば、表面の一部または全部を金属で形成し、内部は発泡剤で充填するようにしてもよい。これにより軽量化を図ることができる。
【００６１】
上述した収集部７は、ユニットファン３３やダクトファン５２を動作させていなく、収集部７内部の気圧が少なくとも収集部７外部の気圧以上の場合、図６の符号ａに示すように、蓋部７２３が閉じた状態、すなわち蓋部７２３が傾斜部７２２の取り付け面７２２ａに当接して開口７２２ｂを塞いだ状態となっている。これは、主表面が水平面および鉛直面に対して斜めに配設された取り付け面７２２ａに対して、蓋部７２３が中間面７２２ｃとの辺近傍の接続部７２２ｄに接続されることにより、蓋部７２３の回動軸が水平面および鉛直面に対して平行で、かつ、蓋部７２３の回動軸側の端部がこの端部の反対側の端部よりも鉛直上方に配置されることに起因する。このとき、蓋部７２３の回動軸、すなわち、一対の連結部材７２３ａを結んだ直線は、蓋部７２３の重心よりも鉛直上方に位置することとなる。したがって、蓋部７２３は、蓋部７２３の自重による所定の圧力で取り付け面７２２ａ側に圧接された状態となり、取り付け面７２２ａに密着するため、収集部７の気密性を向上させることができる。
【００６２】
なお、磁石７２３ｂの磁力によって、蓋部７２３が取り付け面７２２ａ側に付勢された状態ともなっている。これにより、開口７２２ｂから露出した蓋部７２３を移動させるような外力がかかった場合であっても、蓋部７２３が移動するのを防ぐことができる。
【００６３】
また、家屋１１内部の空気を循環させる場合、制御盤６は、シャッタ３１により換気ユニット３の接続孔３０ｃを塞ぐとともに、ダクトファン５２を駆動させる。すると、収集部７および上部ダクト５１内部の圧力が外部よりも低くなり、この圧力差によって蓋部７２３に対して浮力が働き、図６の符号ｂで示すように、蓋部７２３は、ガイド７２２ｅに沿って鉛直上方に移動するとともに、連結部材７２３ａを回動中心として鉛直上方の方向に回動する。すると、蓋部７２３が開いた状態、すなわち収集部７の内部が開口７２２ｂおよび開口部７２１ｂを介して家屋１１内部に露出した状態となるので、上部空気は、開口７２２ｂから収集部７内部に流入し、ダクト５を通って家屋１１の床１６の下から放出される。これにより、家屋１１内部の空気が循環することとなる。
【００６４】
このように、収集部７によれば、シャッタ部７２の基部７２１の主表面を水平に配設することができるので、屋根裏の設計の都合など収集部４のようにシャッタ部４２を斜めに配設することができない場合であっても、取り付けることができる。
【００６５】
なお、蓋部７２３の重さおよび磁石７２３ｂの磁力は、シャッタ３１により換気ユニット３の接続孔３０ｃを塞いでダクトファン５２を駆動させたときに生じる圧力差に応じて設定される。これにより、ダクトファン５２を駆動させたときには蓋部７２３が確実に移動させることができる。
【００６６】
また、蓋部７２３は、上述した収集部４の蓋部４２２の場合と同様、接続部７２２ｄに形成されたガイド７２２ｅを介して傾斜部７２２に接続されているので、移動および回動を円滑に行うことができる。
【００６７】
なお、上述した収集部７において、図７に示すように、接続部７２２ｄを、中間面７２２ｃ側の端部近傍ではなく、開口面側の端部近傍に設けるようにしてもよい。これにより、シャッタ部７２の基部７２１の主表面を鉛直方向に平行に配設することができるので、屋根裏の設計の都合上など収集部４のようにシャッタ部４２を斜めに配設することができない場合であっても、取り付けることができる。
【００６８】
また、本実施の形態において、第１の実施の形態と同様、取り付け面７２２ａに収容部４２１ｂを設けるようにしてもよい。これにより、シャッタ部４２の気密性を向上させることができる。
【００６９】
また、第１および第２の形態では、磁石により蓋部が開口の方向に引きつけられるようにしたが、連結部材にばね等の弾性部材を設けることにより、蓋部が開口の方向に付勢されるようにしてもよい。
【産業上の利用可能性】
【００７０】
本発明は、空調システムなど、蓋の内部と外部に気圧差が生じるシステムに適用することができる。
【図面の簡単な説明】
【００７１】
【図１】本発明にかかる換気システムの構成を示す模式図である。
【図２】シャッタ部の構成を示す斜視図である。
【図３】シャッタ部の要部断面図である。
【図４】換気システムの変形例を示す模式図である。
【図５】図４におけるシャッタ部の構成を示す斜視図である。
【図６】図４におけるシャッタ部の要部断面図である。
【図７】シャッタ部の他の変形例の要部断面図である。
【符号の説明】
【００７２】
１…換気システム、２…集熱部、３…換気ユニット、４，７…収集部、５…ダクト、６…制御盤、１１…家屋、１２…屋根、１３…屋根板、１４…空気取り入れ口、１５…空気流路、３０…箱体、３０ａ…開口、３０ｂ…接続孔、３０ｃ…排気孔、３１…シャッタ、３２…駆動部、３３…ユニットファン、４１…筐体、４１ａ…孔、４２…シャッタ部、５１…上部ダクト、５２…ダクトファン、５３…下部ダクト、６１…室温センサ、６２…外気温センサ、６３…棟温センサ、７１…筐体、７１ａ…孔、７２…シャッタ部、４２１…基部、４２１ａ…ベース、４２１ｂ…収容部、４２１ｃ…開口部、４２１ｄ…接続部、４２１ｅ…傾斜面、４２１ｆ…ガイド、４２２…蓋部、４２２ａ…連結部材、４２２ｂ…磁石、７２１…基部、７２１ａ…ベース、７２１ｂ…開口部、７２２…傾斜部、７２２ａ…取り付け面、７２２ｂ…開口、７２２ｃ…中間面、７２２ｄ…接続部、７２２ｅ…ガイド、７２３…蓋部、７２３ａ…連結部材、７２３ｂ…磁石。
【図１】
2007212003.tif 000003
【図２】
2007212003.tif 000004
【図３】
2007212003.tif 000005
【図４】
2007212003.tif 000006
【図５】
2007212003.tif 000007
【図６】
2007212003.tif 000008
【図７】
2007212003.tif 000009